(57)【特許請求の範囲】
【請求項１】
自動販売機側に備えた近距離無線送受信部と、専用アプリが記憶された携帯端末と、サーバを備え、
前記専用アプリの実行により、前記サーバ及び特定の自動販売機と接続され、前記特定の自動販売機とリンクした発動許可情報の読み取りをトリガーとし、前記特定の自動販売機のフリーベンド機能の発動指令を作成し、解除条件が成就したときに解除指令を作成するフリーベンド制御機能と、事前申告を受けると、前記特定の自動販売機の商品売上をカウントするカウンタからの出力情報を取得し、前記サーバから取得したポイント換算情報に基づいてポイント換算し、ポイントを貯めるときには加算し、ポイントを使うときには減算して記憶するポイント管理機能が実現され、
前記フリーベンド制御機能は、貯めたポイントを発動許可情報として利用し、
前記サーバは、前記携帯端末を監視し、電波強度から前記特定の自動販売機から離れたと判断した場合または前記特定の自動販売機との接続後の時間の計測に基づいて前記特定の自動販売機との接続後一定時間商品の購入行為が無かった場合には、前記特定の自動販売機との接続を切断する
ことを特徴とするフリーベンド制御システム。
【請求項２】
請求項１に記載したフリーベンド制御システムにおいて、
ポイント管理機能は、事前申告に基づいてポイントを貯めたり使ったりした後には機能を停止することを特徴とするフリーベンド制御システム。
【請求項３】
請求項１または２に記載したフリーベンド制御システムにおいて、
専用アプリの実行により、ポイント管理機能の実行により貯まったポイントを、サーバを介して別の携帯端末へ引き継ぐポイント引き継ぎ機能が実現されることを特徴とするフリーベンド制御システム。
【請求項４】
請求項１から３のいずれかに記載したフリーベンド制御システムにおいて、
ポイント管理機能は、グループ別カウンタからの出力情報を取得することを特徴とするフリーベンド制御システム。
【請求項５】
請求項１から４のいずれかに記載したフリーベンド制御システムにおいて、
専用アプリの実行により、貯めたポイントを使って商品を購入するときには領収書の画像を作成して保存する領収書発行機能が実現されることを特徴とするフリーベンド制御システム。
【請求項６】
請求項５に記載したフリーベンド制御システムにおいて、
領収書の宛先は変更可能になっていることを特徴とするフリーベンド制御システム。
【請求項７】
請求項１から６のいずれかに記載したフリーベンド制御システムにおいて、
フリーベンド制御機能は、発動許可情報として入力された発動ＩＤを利用することを特徴とするフリーベンド制御システム。
【請求項８】
請求項１から７のいずれかに記載したフリーベンド制御システムにおいて、
自動販売機の近距離無線送受信部はブルートゥース（登録商標）送受信部になっており、ブルートゥース（登録商標）デバイスの探索処理の実行により、ペアリング候補が選択可能に提示される自動販売機選択機能が実現されることを特徴とするフリーベンド制御システム。
【発明の詳細な説明】
【技術分野】
【０００１】
本発明は、自動販売機のシステムに係り、詳細には、飲料缶等の商品の自動販売機に備えられたフリーベンド機能を外部から通信回線を介して種々の目的に合わせて制御するフリーベンド制御システムに関するものである。
【背景技術】
【０００２】
通常、自動販売機の内部では、上下方向に延びた商品収容通路に商品が一列に積み重なった状態で収容されており、待機中は商品収容通路にストッパが進行して商品の下方への移動は規制されているが、コインや紙幣を投入した後に、商品選択のボタンを押せば、ベンドメカのソレノイドが駆動され、当該ストッパが後退動作して、商品の下方への移動が許容され、落下移動した商品が商品取出し口から搬出されるように構成されている。
【０００３】
また、最近の自動販売機には、フリーベンド機能も標準装備されており、この機能を利用すれば金銭の投入が無くとも、商品選択のボタンを押せば、ストッパが後退動作するようになっている。このフリーベンド機能は、管理上必要な場合の商品の取り出しに利用されており、物理的なカギを差し込んで操作することによって働くようになっている。
【先行技術文献】
【特許文献】
【０００４】
【特許文献１】特開２０１２−６８９２５号公報
【発明の概要】
【発明が解決しようとする課題】
【０００５】
近年は、自動販売機もそこかしこに設置されており、その中から自社の商品を選択購入してもらうために、商品自体の魅力を高めることはもとよりであるが、それ以外での有効なインセンティブ提示も模索されている。
また、自動販売機には、災害時には商品の無償提供も期待されており、その一例が特許文献１に記載されているが、非常用電源も含めて何等かの電源が利用できると想定されるような設置条件下では、扉を開けずに商品を取り出せる仕組みが望まれる場合がある。
【０００６】
本発明は上記従来の問題に着目して為されたものであり、標準装備のフリーベンド機能を制御することで種々の目的に対応できる、新規且つ有効なフリーベンド制御システムを提供することを、その目的とする。
【課題を解決するための手段】
【０００７】
本発明は上記課題を解決するためになされたものであり、請求項１の発明は、自動販売機側に備えた近距離無線送受信部と、専用アプリが記憶された携帯端末と、サーバを備え、前記専用アプリの実行により、前記サーバ及び特定の自動販売機と接続され、前記特定の自動販売機とリンクした発動許可情報の読み取りをトリガーとし、前記特定の自動販売機のフリーベンド機能の発動指令を作成し、解除条件が成就したときに解除指令を作成するフリーベンド制御機能と、事前申告を受けると、前記特定の自動販売機の商品売上をカウントするカウンタからの出力情報を取得し、前記サーバから取得したポイント換算情報に基づいてポイント換算し、ポイントを貯めるときには加算し、ポイントを使うときには減算して記憶するポイント管理機能が実現され、前記フリーベンド制御機能は、貯めたポイントを発動許可情報として利用し、前記サーバは、前記携帯端末を監視し、電波強度から前記特定の自動販売機から離れたと判断した場合または前記特定の自動販売機との接続後の時間の計測に基づいて前記特定の自動販売機との接続後一定時間商品の購入行為が無かった場合には、前記特定の自動販売機との接続を切断することを特徴とするフリーベンド制御システムである。
【０００９】
請求項２の発明は、請求項１に記載したフリーベンド制御システムにおいて、ポイント管理機能は、事前申告に基づいてポイントを貯めたり使ったりした後には機能を停止することを特徴とするフリーベンド制御システムである。
【００１０】
請求項３の発明は、請求項１または２に記載したフリーベンド制御システムにおいて、専用アプリの実行により、ポイント管理機能の実行により貯まったポイントを、サーバを介して別の携帯端末へ引き継ぐポイント引き継ぎ機能が実現されることを特徴とするフリーベンド制御システムである。
【００１１】
請求項４の発明は、請求項１から３のいずれかに記載したフリーベンド制御システムにおいて、ポイント管理機能は、グループ別カウンタからの出力情報を取得することを特徴とするフリーベンド制御システムである。
【００１２】
請求項５の発明は、請求項１から４のいずれかに記載したフリーベンド制御システムにおいて、専用アプリの実行により、貯めたポイントを使って商品を購入するときには領収書の画像を作成して保存する領収書発行機能が実現されることを特徴とするフリーベンド制御システムである。
【００１３】
請求項６の発明は、請求項５に記載したフリーベンド制御システムにおいて、領収書の宛先は変更可能になっていることを特徴とするフリーベンド制御システムである。
【００１４】
請求項７の発明は、請求項１から６のいずれかに記載したフリーベンド制御システムにおいて、フリーベンド制御機能は、発動許可情報として入力された発動ＩＤを利用することを特徴とするフリーベンド制御システムである。
【００１５】
請求項８の発明は、請求項１から７のいずれかに記載したフリーベンド制御システムにおいて、自動販売機の近距離無線送受信部はブルートゥース（登録商標）送受信部になっており、ブルートゥース（登録商標）デバイスの探索処理の実行により、ペアリング候補が選択可能に提示される自動販売機選択機能が実現されることを特徴とするフリーベンド制御システムである。
【発明の効果】
【００１６】
本発明のフリーベンド制御システムによれば、標準装備のフリーベンド機能を利用して、ポイント付与によるインセンティブ提示や、扉を閉じたままでの災害時の商品の無償提供が可能となっている。
【図面の簡単な説明】
【００１７】
【図１】本発明の第１の実施の形態に係るポイント還元システムの全体のイメージ的構成図である。
【図２】図１で利用する「ポイントアプリ」の<アカウント登録>の説明図である。
【図３】図１で利用する「ポイントアプリ」の<近くの自販機と接続する>の説明図である。
【図４】図１で利用する「ポイントアプリ」の<ポイントをためる>の説明図である。
【図５】図１で利用する「ポイントアプリ」の<ポイントをつかう>の説明図である。
【図６】図１で利用する「ポイントアプリ」の<ポイントをつかう>の図５に続く説明図である。
【図７】図１で利用する「ポイントアプリ」の<領収書を発行する>の説明図である。
【図８】図１で利用する「ポイントアプリ」の<俺の（私の）自販機名を登録する>の説明図である。
【図９】図１で利用する「ポイントアプリ」の<自販機一覧を見る>の説明図である。
【図１０】図１で利用する「ポイントアプリ」の<ポイント一覧を見る>の説明図である。
【図１１】図１で利用する「ポイントアプリ」の<ポイントを引き継ぐ>の説明図である。
【図１２】本発明の第２の実施の形態に係る非常用無料提供システムの処理説明図である。
【発明を実施するための形態】
【００１８】
第１の実施の形態は、本発明のフリーベンド制御システムをポイント還元システム１として構築したものであり、図面にしたがって説明する。
図１で、ポイント還元システム１は、既存の飲料缶用の自動販売機３を利用している。このメイン基板５には、全体を制御する主制御部７の他に、カウンタ９が設けられている。メイン基板５は、金銭の投入を確認すると商品選択ボタンのランプを点灯させたり、ボタンの選択を受けて販売指令を発したりする販売制御部１１と、販売指令を受けてソレノイドを駆動させ飲料缶を搬出させるベンドメカ１３に接続されて制御下においている。従って、主制御部７が販売制御部１１やベンドメカ１３を制御して飲料缶の販売をするが、その際は、カウンタ９が飲料缶一つの搬出毎にカウントして在庫や売上の管理を可能としている。このカウンタ９にはグループ別カウンタも含まれており、そのグループ別カウンタはそのグループ内の飲料缶の搬出毎にカウントする。グループ分けは任意であり、例えば商品を価格帯毎にグループ分けされる。本システム１では、グループ別カウンタの機能を利用しているので、以下、カウンタ９は、特にグループ別カウンタを意味する。
【００１９】
また、販売制御部１１には、フリーベンド機能１２が備えられ、金銭投入以外でも物理的なスイッチの閉成により販売制御部１１が販売指令を発するように構成されているが、このフリーベンド機能１２は主制御部７からのフリーベンド発動指令（信号）を受けても機能するようになっている。
【００２０】
本システム１では、自動販売機３に、近距離無線送受信部としてブルートゥース（Bluetooth（登録商標））基板１５を取り付けたことが特徴となっている。このブルートゥース基板１５は、自動販売機３のメイン基板５と有線接続されて信号の送受信が可能となっている。
ブルートゥース基板５は、多機能型携帯端末の代表例であるスマートフォン１７とブルートゥース通信による接続が可能になっており、接続はブルートゥース基板５側からは切れないようになっている。
スマートフォン１７は、管理サーバ１９とインターネット回線を介して通信可能になっている。
このように、スマートフォン７と自動販売機３との間と、スマートフォン７と管理サーバ１９との間で通信状態が確立されて、本システム１が構築されている。
【００２１】
スマートフォン１７には、専用アプリとして「ポイントアプリ」がインストールされており、その処理の実行によって本システム１の各種機能が実現されている。
ユーザーがアプリを起動させると、管理サーバ１９と自動的に接続され、ユーザーが種々の操作をすると、管理サーバ１９による画面遷移の管理下において、アプリが処理を進めることになる。
以下に、「ポイントアプリ」の処理内容にしたがって説明する。
【００２２】
<アカウント登録する：図２>
ポイントの利用に先立って要求しており、ＴＯＰ画面では、初回は「設定」ボタンのみが有効になっている。
この「設定」ボタンが押され、遷移後の「設定」画面で「アカウント登録」ボタンが押されると、更に遷移してユーザー情報の入力や選択を促す「アカウント登録」画面を表示する。この中には、領収書の発行の有無の選択が含まれている。
入力等が済み、「アカウント登録」ボタンが押されると、登録内容は、アプリのデータベース（ＤＢ）に保存される。
【００２３】
<近くの自販機と接続する：図３>
アカウント登録が済むと、「設定」画面に遷移して戻り、さらに、「戻る」ボタン（図示省略、以下の画面でも同様）が選択されると、ＴＯＰ画面に遷移して戻る。このＴＯＰ画面では、登録内容を反映して、「ゲスト」からニックネームの「〇藤」に変更され、「近くの自販機と接続」ボタンも有効になる。
このボタンが押されると、ブルートゥース機器の探索処理を開始する。探索処理には、自動販売機（以下、「自販機」と略記）のみを探索するように予め制限が掛けられているので、近くの別のブルートゥース機器に対して無駄な探索はしない。
【００２４】
この探索により発見された１または２以上の（予め自販機の情報番号が書き込まれた）自販機の情報番号を取得し、管理サーバ１９のデータベース（ＤＢ）からそれらの自販機の情報番号にリンクした固定表示データを取得して「自販機リスト」画面を作成・表示する。また、自販機の名称がユーザーにより「ＭＹ自販機」として名づけられていれば、アプリのデータベース（ＤＢ）に保存されており、その場合にはそれも併せて表示する。この場合には、リストされた３つとも登録されており、「会社近くの自販機」、「会社内の自販機１」、「会社内の自販機２」と、それぞれ「ＭＹ自販機」の名称を表示する。
【００２５】
利用したい「自販機」のボタン、この場合は、「会社近くの自販機」と名付けられた自販機名称のボタンが選択されると、アプリのＤＢからポイント状況を読み出してその自販機に関する「購入」画面を表示する。
「購入可能ポイント」は、飲料缶の代金をポイント換算したものであり、その自販機が複数の価格帯の飲料缶を販売している場合もあるが、説明を単純化するために、この実施の形態ではその自販機で購入できる飲料缶全ての単価を揃えており、「１００ポイント」でその自販機からはどの飲料缶でも１本購入できるように設定されている。
「現在のポイント」は、現在保有しているポイントを意味する。
【００２６】
利用する機能として、「ポイントをためる」、「ポイントをつかう」の２種類のボタンを表示するが、表示画面では「現在のポイント」が「０」なので、ポイントを使うことはできず、「ポイントをつかう」のボタンは無効になっている。
上記したアプリの処理と並行して、その自販機とのペアリング処理を実施して、スマートフォン１７と特定の自販機３とのブルートゥース接続を確立する。
【００２７】
<ポイントをためる：図４>
「購入」画面で、事前申告として「ポイントをためる」ボタンが選択されると、
遷移して、「購入本数」の設定画面を表示する。「購入本数」は購入予定本数のことであり、「１」を初期表示し、その左右に減算・加算用に「−（マイナス）」ボタン、「＋（プラス）」ボタンを表示する。「−」ボタンは購入本数が「１」のときは無効になっている。
また、「０／１  購入済」と実際の購入状況を表示する。分母は上記の「購入本数」に対応して「１」と表示する。分子は実際の購入本数であり、まだ実際には購入していないので、「０」と表示する。
２本以上購入する場合には、「＋」ボタンが選択されて「購入本数」が変更される。表示画面では、３本に変更されている。
【００２８】
≪飲料缶の通常購入≫
このポイントを貯めるモードで、ユーザーは、自販機３で飲料缶を普通に購入する。すなわち、金銭を投入し、商品選択ボタンを押して、選択した商品（飲料缶）Ｋを搬出させる。
【００２９】
この搬出があると、アプリは「購入本数」の「−」・「＋」ボタンを共に無効にして変更を不可能にした上で、自販機３の商品売上をカウントするカウンタ９からカウント（出力）情報を取得して、「１／３  購入済」とする。また、管理サーバ１９のＤＢからポイント換算情報を取得して加算処理をし、その結果を「現在のポイント」欄に更新表記する。カウンタ９Ａ，９Ｂ……によって付加ポイントを異ならせることができ、この場合には、カウンタ９Ａでは商品（飲料缶）１本の購入で１０ｐｔ、カウンタ９Ｂでは商品（飲料缶）１本の購入で２０ｐｔ付加される。
本システム１では、このように、グループ別カウンタを利用することで、購入した商品の種類により付与するポイント数を変えることができるので、商品毎にポイント還元率に差を持たせることが可能となっており、「推し商品」をその他の商品と差別化できる。
貯めたポイント（データ）は、自販機の情報番号にリンクされて、アプリのＤＢに保存（記憶）される。
このように、アプリにはポイント管理機能が備えられている。
【００３０】
実際の購入本数が予定購入本数になると、ポイント管理機能は停止して、自販機３とのブルートゥース接続が切られる。従って、その後に更に購入してもポイントには反映されない。そのため、再度ポイントを貯めたいときには、上記した処理を改めて実施してから、商品を購入することになる。その後、「終了」ボタンを表示するので、そのボタンが押されると、「設定」画面に遷移する。
【００３１】
自販機３とのブルートゥース接続は、ユーザーが接続の終了ボタンを選択したり、電源ボタンを押したりした場合にも切られる。また、管理サーバ１９も監視しており、電波強度から判断して自販機から離れた場合、時間を計測して一定時間商品の購入行為が無かった場合にも切られる。
このように幾つかの切断条件を設定することで、複数のユーザーがその場にいたときに、あるユーザーの購入行為を他のユーザーがポイントを貯めるのに利用したり、後述する「ポイントをつかう」モードのときに、あるユーザーのポイントを他のユーザーが使ったりできないようになっている。
【００３２】
<ポイントをつかう：図５、図６>
別の自販機に接続して、現在のポイントが購入可能ポイントよりも多いときには、「ポイントをつかう」ボタンも有効になったものを表示する。この場合に、事前申告として「ポイントをつかう」ボタンが選択されると、遷移して、「購入本数」の設定画面を表示する。この画面は、「ポイントをためる」と同様になっており、同じようにユーザーにより設定される。
但し、ポイントを使うことが前提となっているので、購入可能本数が上限に達した時点で「+」ボタンは無効になる。
この表示では、２本ポイントを使って購入する設定になっている。
【００３３】
アプリは、上記設定処理と並行して、自販機３に対するフリーベンド発動指令を作成して、自販機３側に送る。自販機３側の主制御部７はそれに応えて、販売制御部１１のフリーベンド機能１２を発動させる。
すなわち、本システム１のフリーベンド制御機能は、発動許可情報が貯めたポイントになっており、解除条件が「購入本数」分までの購入終了になっている。
【００３４】
≪飲料缶のポイント購入≫
このポイントを使うモードで、ユーザーは、自販機３で飲料缶Ｋをポイントを使って購入する。すなわち、金銭を投入せずに、有効化された商品選択ボタンを押して、選択した商品（飲料缶）Ｋを搬出させる。
【００３５】
飲料缶Ｋが搬出されると、ポイントを貯めるモードと同様に、管理サーバ１９のＤＢからポイント換算情報を取得して減算処理をし、その結果を「現在のポイント」欄に更新表記する。
このように、ポイントを使うときにも、ポイント管理機能が働くようになっている。
【００３６】
実際の購入本数が、予定購入本数になると、ポイント管理機能は停止して、自販機３とのブルートゥース接続が切られる。また、主制御部７はフリーベンド状態の解除条件が成就したと判断して解除指令を作成し通常の販売状態に戻す。
このモードでも、自販機３とのブルートゥース接続は途中で切断できる機能が働くので、上記したようにフリーベンド機能の悪用が回避される。
【００３７】
<領収書を発行する：図７>
上記の<ポイントをためる>、<ポイントをつかう>モードでは、予めアカウント登録の際に領収書の発行を設定していた場合には、領収書発行機能が実現され、領収書の画像を作成して保存する。保存場所は、スマートフォンの種類に応じている。宛先は、アカウント登録の際に設定した「ニックネーム」になる。
但し、この「ニックネーム」は、ユーザー情報の変更を利用することで、後から変えることができる。アカウント登録完了後は、「設定」画面で「アカウント登録」ボタンに代えて「ユーザー情報」ボタンを表示するので、この「ユーザー情報」ボタンが押されると遷移して、変更可能項目を表示する。ここで、ニックネームを変えることができる。従って、依頼されて商品購入をしたような場合に対応できる。また、ニックネームは任意の入力項目なので空欄にすれば、宛先も空欄となる。
更に、領収書の発行の有無も変更できるので、通常は無しにしておき、必要な場合だけ領収書を発行させるようにすることが可能である。
【００３８】
<自販機一覧を見る：図８>
一回自販機に接続すると、ＴＯＰ画面で「自販機一覧」ボタンが有効になり、このボタンが選択されると、「自販機一覧」画面に遷移する。
上記の<近くの自販機と接続する>で表示した自販機リスト（ボタン）は、３つとも、登録されており、「会社近くの……」、「会社内の……」、「会社内の……」と、「ＭＹ自販機」の名称が表示されているが、初めて接続して「ポイントをためる」で利用しただけの自販機の表示欄（最下段）には名称が付されていない。また、利用した自販機を全て表示するので、<近くの自販機と接続する>で表示されなかった自販機も表示する。
【００３９】
<俺の（私の）自販機名を登録する：図９>
「自販機一覧」画面で、登録したい自販機のボタンが押されると、登録画面に遷移するので、最下段の自販機が選択され、俺の（私の）自販機名の右横の入力欄に「自宅近くの自販機」と入力され、登録ボタンが押されると、アプリが登録処理を完了する。この登録により、「自販機一覧」画面に遷移するが、この登録を反映して表示する。
<ポイント一覧を見る：図１０>
「自販機一覧」画面には、「ポイントを見る」ボタンを設けているので、これが押されると、ポイント一覧を表示する。従って、これを事前に見て、ポイントを使いたい場合には、アプリを起動するために、使うことができる自販機に直行することができる。
【００４０】
<ポイントを引き継ぐ：図１１>
ポイントデータは携帯端末に保存するので、機種変更する場合には、ポイントデータを引き継ぎが可能となっている。
「アカウント登録」が完了すると、「設定」画面で、「ポイント引き継ぎ（送信）」ボタンを表示するので、このボタンが押されると、「引き継ぎ」画面に遷移する。この画面で、メールアドレスとパスワードが入力され、「送信開始」ボタンが押されると、管理サーバ１９に貯めたポイントデータが送られて、そのＤＢに「メールアドレス」及び「パスワード」とリンクされて保存される。一方、アプリのＤＢからはポイントデータは削除される。このように設定することで、ポイントの二重利用を規制している。
【００４１】
ユーザーによって別のスマートフォン１７にアプリがインストールされると、その「設定」画面では「アカウント登録」ボタンと共に「ポイント引き継ぎ（受信）」ボタンを表示しており、このボタンが押されると、「引き継ぎ（受信）」画面に遷移する。この画面で、「メールアドレス」と「パスワード」が入力され、「受信開始」ボタンが押されると、ポイントデータがアプリのＤＢに送られて保存される。一方、管理サーバ１９からは削除される。
【００４２】
ユーザーは、上記した、引き継ぎ処理をした上で、当該別のスマートフォン１７について、改めて「アカウント登録」をする。
従って、ユーザーが意図的には別の人にポイントを譲渡することも可能となっている。
このように、ポイント管理機能の実行により貯まったポイントを、サーバを介して別の携帯端末へ引き継ぐポイント引き継ぎ機能が実現されている。
【００４３】
第２の実施の形態は、本発明のフリーベンド制御システムを非常用無料提供システムとして構築したものであり、図１２にしたがって説明する。
本システムも、同様に自販機３、スマートフォン１７、管理サーバ１９によって構築されており、上記のポイント還元システム１のポイントに代えて、発動ＩＤを利用している。
スマートフォン１７には、専用アプリとして「フリーベンドアプリ」がインストールされており、その処理の実行によって本システム２１の各種機能が実現される。
【００４４】
ユーザーがアプリを起動させると、管理サーバ１９と自動的に接続され、ユーザーが種々の操作をすると、管理サーバ１９による画面遷移の管理下において、アプリが処理を進めることになる。
先ず、「フリーベンド発動画面」を表示し、「フリーベンド発動ＩＤ」の入力を促す。
【００４５】
「フリーベンド発動ＩＤ」が入力され、「開始」ボタンが押されると、ブルートゥースによる自販機の探索処理を開始する。そして、この探索により発見された１または２以上の（予め自販機の情報番号が書き込まれた）自販機の情報番号を取得し、管理サーバ１９のデータベース（ＤＢ）からそれらの自販機の情報番号にリンクした固定表示データを取得して「自販機リスト」画面を作成・表示する。
利用したい「自販機」のボタンが選択されると、その自販機とのブルートゥース接続を確立すると共に、自販機３に対するフリーベンド発動指令を作成して、自販機３側に送る。自販機３側の主制御部７はそれに応えて、販売制御部１１のフリーベンド機能１２を発動させる。
そして、遷移により「フリーベンド発動中」画面を表示する。この画面には、「終了」ボタンが含まれており、このボタンが押されると、フリーベンドが終了すると共に、ブルートゥース接続も切られる。
【００４６】
このように、本システムでは、発動許可情報を「フリーベンド発動ＩＤ」とし、解除条件を「終了」ボタンの押下にして、フリーベンド制御機能が実現されており、物理的なカギを利用せずに、フリーベンド発動と解除を制御できる。
【００４７】
以上、本発明の実施の形態について詳述してきたが、具体的構成は、この実施の形態に限られるものではなく、本発明の要旨を逸脱しない範囲における設計の変更などがあっても発明に含まれる。
【産業上の利用可能性】
【００４８】
本発明のシステムの自動販売機側は、既存の自動販売機を改造することで構築することができる。
【符号の説明】
【００４９】
１‥‥ポイント還元システム
３‥‥自動販売機                    ５‥‥メイン基板
７‥‥主制御部                      ９‥‥カウンタ
１１‥‥販売制御部                  １２‥‥フリーベンド機能
１３‥‥ベンドメカ                  １５‥‥ブルートゥース基板
１７‥‥スマートフォン              １９‥‥管理サーバ
【図１】
0006342362.tif 000002
【図２】
0006342362.tif 000003
【図３】
0006342362.tif 000004
【図４】
0006342362.tif 000005
【図５】
0006342362.tif 000006
【図６】
0006342362.tif 000007
【図７】
0006342362.tif 000008
【図８】
0006342362.tif 000009
【図９】
0006342362.tif 000010
【図１０】
0006342362.tif 000011
【図１１】
0006342362.tif 000012
【図１２】
0006342362.tif 000013